(57)【要約】【課題】案内表示を見易い位置に設け、かつ、分かり易い内容の案内表示にすることで間違いなくスムーズに電池と機器本体とをコネクタ接続できる電子機器を提供することを目的とする。【解決手段】機器本体は電池を収める収納部を有し、その収納部の内側に前記電池と機器本体とを接続するための本体側コネクタを備える。また、前記電池に接続ケーブルを介して連結された電池側コネクタは前記本体側コネクタに対して接続される。そのように構成された電子機器において、前記収納部の開口部周辺の外面上であって、前記本体側コネクタの近傍に、前記電池側コネクタの接続向きを指示するコネクタ接続指示表示と、前記電池の形状及び前記収納部への収納態様を指示する電池収納指示表示とを併記したシールを貼付する。【選択図】        図４
2005332727.tif 000002
【特許請求の範囲】
【請求項１】
機器本体に電池を収める収納部を設け、その収納部の内側に前記電池と機器本体とを電気的に接続するための本体側コネクタを設け、前記電池に接続ケーブルを介して連結された電池側コネクタを前記本体側コネクタに対して接続、解離可能に接続した電子機器において、
前記収納部の開口部周辺の外面上であって、前記本体側コネクタの近傍に、前記電池側コネクタの接続向きを指示するコネクタ接続指示表示を設けたことを特徴とする電子機器。
【請求項２】
前記収納部の開口部には前記電池を覆うための開閉可能もしくは着脱可能な蓋が備えられていることを特徴とする請求項１に記載の電子機器。
【請求項３】
前記コネクタ接続指示表示には、前記電池の形状及び前記収納部への収納態様を指示する電池収納指示表示が併記されていることを特徴とする請求項１または請求項２に記載の電子機器。
【請求項４】
前記電池収納指示表示には、前記電池の形状と共に、前記電池側コネクタに接続されるケーブルが表記されていることを特徴とする請求項３に記載の電子機器。
【請求項５】
前記コネクタ接続指示表示には、前記電池側コネクタを構成する複数の端子の電気の極性の違いを色分けした極性表示部を設けたことを特徴とする請求項１から４の何れかに記載の電子機器。
【請求項６】
前記接続ケーブルは複数のコードからなり、それらのコードもしくはそれらのコードに対応する前記電池側コネクタの表面部分を前記電気の極性の違いに基づいて前記極性表示部の色と同系色で色分けしたことを特徴とする請求項５に記載の電子機器。
【請求項７】
前記極性表示部を、文字または記号で表現したことを特徴とする請求項５または６に記載の電子機器。
【請求項８】
前記コネクタ接続指示表示および前記電池収納指示表示の少なくとも１つは、前記開口部周辺の部材と一体に成型されてなることを特徴とする請求項３から７の何れかに記載の電子機器。
【請求項９】
前記コネクタ接続指示表示および前記電池収納指示表示の少なくとも１つは、前記開口部周辺の外面上であって、前記本体コネクタの近傍に貼り付け可能なシールに表示したことを特徴とする請求項３から７の何れかに記載の電子機器。
【発明の詳細な説明】
【技術分野】
【０００１】
本発明は、使用者に対し電池の取り付け方を指示する案内表示を備えた電子機器に関する。
【背景技術】
【０００２】
従来、小型の電子機器において、その駆動源として乾電池、ＡＣアダプタ、充電池などがあり、その内の１種類だけでなく使用状態に合わせてそれらを組み合わせたりして使い分けることができるものが知られている。文字や記号等を入力して、入力された内容を印刷したラベルを作成するラベル作成機においても同様で、ラベル作成機内部に充電池を備え、使用状態にない時は充電台に載せて充電池に充電をし、使用する時は、充電台から離して充電地に溜めておいた電気を使用するラベル作成機が知られている。特にあるラベル作成機は、購入時においては、ラベル作成機本体に充電池がセットされておらず、使用者自身が充電池の収納部に充電池の向きを気遣いながら充電池を収納した後、充電池から延びたケーブルの先に設けてあるコネクタと、充電池の収納部の内側に設けてあるコネクタとを接続するようになっている。一度充電池をセットした後は、回数は多くないが、充電池の充電性能が落ちた時には新しい充電池と交換することがある。一般に、コネクタの接続は、多くの場合嵌合させることで行うが、それぞれのコネクタのお互いの位置関係、移動させる方向等が所定の値を満たしていないと接続させることができない構造になっていることが多い。そのため、正しく接続させるための案内となる表示が充電池の収納部の内側に設けてあるコネクタの近傍にあることが多い。このラベルライタの場合、収納部内部に収納部の底面に平行に一段高い面を設けて、その表面に収納部の部材と一体に成型することで案内表示を設けている（製品名ＰＴ−１８Ｒ（ブラザー工業製））。
【０００３】
また、別のラベル作成機においては、単３の乾電池４本にて駆動するものであり、乾電池の収納部の開口部の周辺に乾電池を入れる向きを示した案内表示が設けてある。この案内表示も、開口部周辺の部材と一体に成型することでできている（製品名ＰＴ−５５（ブラザー工業製））。
【０００４】
また、特許文献１に示した電気器具は、電源アダプタに接続された電源プラグが着脱可能となっており、電気器具へは電源プラグを接続して電力を供給する構造になっている。この電気器具としては電気かみそり等を想定しており、水洗いが可能となっている。そのために電源プラグの着脱部に水が溜まっていた状態において電源プラグを接続して使用してしまった場合、着脱部の電極端子間を電流が流れてしまい電極端子を電触してしまうという問題があった。それを防止するために電極端子間に水による導通を妨げる障壁を設けるというのが特許文献１に示される発明の趣旨である。さて、その特許文献１の図５に示される電源プラグからは、電源プラグ側の電極端子が左右に分かれ、電極端子の被覆の表面には各々の電極端子の極性が対応して表示されている。また、特許文献１の図１は、電気器具の底面に設けられた着脱部の電気器具本体に対する位置関係が分かるような斜視図であり、図２は、電気器具の着脱部のみを取り上げてその形状を示した斜視図である。尚、電気器具と電源プラグとは、各着脱部を対向させた状態において所定の角度に合わせた時にのみ接続可能であり、その状態からある軸を中心に互いに例えば１８０度向きを変えたときには接続できないようにしている。
【０００５】
【特許文献１】特開２００１−２４４０１３号公報
【発明の開示】
【発明が解決しようとする課題】
【０００６】
しかしながら、１つ目のラベル作成機（ＰＴ−１８Ｒ）においては、案内表示が充電池の収納部の内側にあるため、目に付きにくい。案内表示の存在を視認したとしてもラベル作成機本体の陰になりやすく内容を読み取りにくい。更に充電池を収納部に入れることで読み取りにくさの度合いはさらに進む。また、コネクタを接続するに当たり、使用者自身の手や手に持った充電池から延びるケーブル及びその先のコネクタにより案内表示が隠されてしまい正しく接続できないことがある。
【０００７】
また、特許文献１に示される電気器具においては、電源プラグには各端子の極性を表す表示が設けてあるものの電気器具本体においては何ら表示がない。そのため使用者は、１回の接続動作で極性を正しく接続できないおそれがある。
【０００８】
本発明は、上述した問題点を解決するためになされたものであり、案内表示を見易い位置に設け、かつ、分かり易い内容の案内表示にすることで間違いなくスムーズに電池と機器本体とをコネクタ接続できる電子機器を提供することを目的とする。
【課題を解決するための手段】
【０００９】
この目的を達成するために、請求項１記載の電子機器は、機器本体に電池を収める収納部を設け、その収納部の内側に前記電池と機器本体とを電気的に接続するための本体側コネクタを設け、前記電池に接続ケーブルを介して連結された電池側コネクタを前記本体側コネクタに対して接続、解離可能に接続した電子機器において、前記収納部の開口部周辺の外面上であって、前記本体側コネクタの近傍に、前記電池側コネクタの接続向きを指示するコネクタ接続指示表示を設けたことを特徴とする。
【００１０】
このように構成された請求項１に係る電子機器においては、電池は機器本体の収納部に収められた上、電池に接続ケーブルを介して連結された電池側コネクタと、収納部の内側に前記電池と機器本体とを電気的に接続するための本体側コネクタとが接続、解離可能に接続される。そして、前記収納部の開口部周辺の外面上であって、前記本体側コネクタの近傍に、前記電池側コネクタの接続向きを指示するコネクタ接続指示表示が設けられているので、その指示表示に従って電池側コネクタを本体側コネクタに容易、かつ確実に接続することができる。
【００１１】
また、請求項２記載の電子機器は、請求項１に記載の電子機器において、前記収納部の開口部には前記電池を覆うための開閉可能もしくは着脱可能な蓋が備えられていることを特徴とする。
【００１２】
このように構成された請求項２に係る電子機器においては、前記収納部の開口部に開閉可能もしくは着脱可能な蓋が備えられていることにより前記電池が覆い隠され、代わりにコネクタ接続指示表示がコネクタの存在を示唆する。
【００１３】
また、請求項３記載の電子機器は、請求項１または請求項２に記載の電子機器において、前記コネクタ接続指示表示には、前記電池の形状及び前記収納部への収納態様を指示する電池収納指示表示が併記されていることを特徴とする。
【００１４】
このように構成された請求項３に係る電子機器においては、前記コネクタ接続指示表示には、前記電池の形状及び前記収納部への収納態様を指示する電池収納指示表示が併記されている。
【００１５】
また、請求項４記載の電子機器は、請求項３に記載の電子機器において、前記電池収納指示表示には、前記電池の形状と共に、前記電池側コネクタに接続されるケーブルが表記されていることを特徴とする。
【００１６】
このように構成された請求項４に係る電子機器においては、前記コネクタ接続指示表示には、前記電池の形状、前記電池側コネクタに接続されるケーブル及び前記収納部への収納態様を指示する電池収納指示表示が併記されている。
【００１７】
また、請求項５記載の電子機器は、請求項１から４の何れかに記載の電子機器において、前記コネクタ接続指示表示には、前記電池側コネクタを構成する複数の端子の電気の極性の違いを色分けした極性表示部を設けたことを特徴とする。
【００１８】
このように構成された請求項５に係る電子機器においては、前記コネクタ接続指示表示には、前記電池側コネクタを構成する複数の端子の電気の極性の違いを色分けした極性表示部が設けられている。それにより、使用者は極性表示部に示される色によって各端子の電気の極性を理解し、それに対応するように前記電池側コネクタを前記本体側コネクタと接続することで、正しく接続できる。
【００１９】
また、請求項６記載の電子機器は、請求項５に記載の電子機器において、前記接続ケーブルは複数のコードからなり、それらのコードもしくはそれらのコードに対応する前記電池側コネクタの表面部分を前記電気の極性の違いに基づいて前記極性表示部の色と同系色で色分けしたことを特徴とする。
【００２０】
このように構成された請求項６に係る電子機器においては、電池と電池側コネクタとを連結する接続ケーブルが複数のコードからなり、それらのコードもしくはそれらのコードに対応する前記電池側コネクタの表面部分と、電子機器本体側にあって前記電池側コネクタの接続向きを指示するコネクタ接続指示表示の極性表示部とが、電気の極性に基づいて互いに同系色で色分けされている。それにより、使用者はそれぞれの色の意味する各端子の電気の極性を理解することなく、色だけに着目して前記電池側コネクタを前記本体側コネクタと接続することで、正しく接続できる。
【００２１】
また、請求項７記載の電子機器は、請求項５または６に記載の電子機器において、前記極性表示部を、文字または記号で表現したことを特徴とする。
【００２２】
このように構成された請求項７に係る電子機器においては、前記極性表示部は、色分けされていることに加え、文字または記号でも表現されている。それにより、文字または記号を読むことによって前記電気の極性の違いを理解することもできる。使用者は、色だけに着目して前記電池側コネクタを前記本体側コネクタと接続する場合よりもさらに正確に接続できる。
【００２３】
また、請求項８記載の電子機器は、請求項３から７の何れかに記載の電子機器において、前記コネクタ接続指示表示および前記電池収納指示表示の少なくとも１つは、前記開口部周辺の部材と一体に成型されてなることを特徴とする。
【００２４】
このように構成された請求項８に係る電子機器においては、前記コネクタ接続指示表示および前記電池収納指示表示の少なくとも１つは、前記開口部周辺の部材と一体に成型されている。
【００２５】
また、請求項９記載の電子機器は、請求項３から７の何れかに記載の電子機器において、前記コネクタ接続指示表示および前記電池収納指示表示の少なくとも１つは、前記開口部周辺の外面上であって、前記本体コネクタの近傍に貼り付け可能なシールに表示したことを特徴とする。
【００２６】
このように構成された請求項９に係る電子機器においては、前記コネクタ接続指示表示および前記電池収納指示表示の少なくとも１つは、貼り付け可能なシールに表示されており、そのシールは前記開口部周辺の外面上であって、前記本体コネクタの近傍に貼り付けられている。
【発明の効果】
【００２７】
以上説明したことから明らかなように、請求項１記載の電子機器は、電池側コネクタの接続向きを指示するコネクタ接続指示表示が視認し易く、ラベル作成機本体の陰にならず、充電池を収納部に入れても読み取りにくくはならない。また、コネクタを接続するに当たり、使用者自身の手や手に持った充電池から延びるケーブル及びその先のコネクタによりコネクタ接続指示表示が隠されてしまうこともない。それにより、コネクタの接続を失敗することを防ぐことができる。
【００２８】
また、請求項２記載の電子機器は、普段交換する頻度が少ない電池を蓋で覆うことにより使用者の目に付きにくくすることができ、特に他に交換しながら使用する部品等がある場合、使用者の注意が電池に向い難くすることができ、デザイン的にもすっきりする。
【００２９】
また、請求項３記載の電子機器は、特に収納部の開口部に蓋がされて内部の電池が覆い隠されている状態においては、内部に電池が収納されていることが分かり、使い勝手がよい。また、コネクタ接続指示表示だけを表示した場合に比べ何のためのコネクタなのかがはっきりと使用者に伝わり、見た目にも落ち着く。さらに電池の収納態様を示すことにより、使用者は電池を収納部に確実に収納することができる。
【００３０】
また、請求項４記載の電子機器は、電池本体と共に電池に付随する接続ケーブルを表示することで電池の向きが分かり、使用者は電池を収納部に、より確実に収納することができる。
【００３１】
また、請求項５記載の電子機器は、使用者が極性表示部に示される色によって各端子の電気の極性を理解し、それに対応するように前記電池側コネクタを前記本体側コネクタと接続することで、正しく接続できる。
【００３２】
また、請求項６記載の電子機器は、使用者がそれぞれの色の意味する各端子の電気の極性を理解することなく、色だけに着目して前記電池側コネクタを前記本体側コネクタと接続することで、正しく接続できる。
【００３３】
また、請求項７記載の電子機器は、使用者が文字または記号を読むことによって前記電気の極性の違いを理解することができる。使用者は、色だけに着目して前記電池側コネクタを前記本体側コネクタと接続する場合よりもさらに正確に接続できる。また、色覚に異常のある人に対しては、さらにその効果は大である。
【００３４】
また、請求項８記載の電子機器は、前記コネクタ接続指示表示および前記電池収納指示表示の少なくとも１つは、前記開口部周辺の部材と一体に成型されていることで、製造工程において作業を簡略化できる。
【００３５】
また、請求項９記載の電子機器は、前記コネクタ接続指示表示および前記電池収納指示表示の少なくとも１つは、貼り付け可能なシールに表示されているので、安価に実現可能である。
【発明を実施するための最良の形態】
【００３６】
以下、本発明の電子機器をテープ印字装置に適用した実施の形態について図面を参照して説明する。
【００３７】
図１は、テープ印字装置の平面図である。図１に示すように、略箱体状のテープ印字装置３の上面部４には、文書データからなるテキストを作成するための文字入力キー５、テキストの印字を指令する印字キー６、漢字変換及びスペースを入力するスペースキー７、及び改行指令や各種処理の実行、選択を指令するリターンキー８、文字等のキャラクタを複数行に渡って表示する液晶ディスプレイ１０上でカーソルを前後、左右に移動させるカーソルキー１１等が配置されている。また、テープ印字装置３の左側面部１３には、印字されたテープが排出されるテープ排出口１４が形成されている。また、テープ印字装置３の右側面部１７には、電源アダプタが取り付けられるアダプタ挿入口１８、図示しないパーソナルコンピュータと接続するためのＵＳＢケーブルが取り付けられるコネクタ１９等が設けられている。従って、テープ印字装置３は、卓上に上面部４を上にして水平に置いた状態でアダプタ挿入口１８に電源アダプタを挿入してＡＣ電源を利用するか、あるいは、電源アダプタを挿入することなく内蔵する二次電池にて駆動することによりテープ印字をすることができる。
【００３８】
図２は、テープ印字装置の下面図である。略箱体状のテープ印字装置３の下面部の全体が開閉蓋２０によって覆われている。開閉蓋２０は、右端の手前側及び後側の２箇所の角部近傍にそれぞれ設けたヒンジ部（図示せず）を中心に紙面上側に向かって回動して開放されるようになっている。
【００３９】
図３は、テープ印字装置の開閉蓋２０を開放した時のテープ印字装置内部を示した下面図である。なお、開放した状態の開閉蓋２０は省略し図示していない。テープ印字装置内右側（図３の下面図では左側）には、図４に示すような充電池４０を収める収納部４８が形成され、その下側には充電池を覆う電池蓋３１が取り付けられる。電池蓋３１は着脱可能となっている（詳細は後述）。テープ印字装置内中央には、空間状のカセット収納部３２が形成されている。印字媒体であるテープに対し発熱して画像を形成する印字ヘッド３４が、カセット収納部３２の後側に配置されている。カセット収納部３２に隣接した後側であってテープを介して印字ヘッド３４と対向する位置には、テープを搬送するプラテンローラ３６が配置されている。カセット収納部内に収納されたカセットの輪郭を表すカセット想像線３３が示されている。テープ印字装置内手前側の収納部４８の近傍で外面上に本発明のコネクタ接続指示表示および電池収納指示表示であるところの充電池シール３８が貼付されている（詳細は後述）。図３に示す通り、電池蓋３１が装着されている状態にあってもシール３８は、使用者からはっきりと視認することができる位置にある。
【００４０】
図４は、電池蓋３１を取り外して収納部内を見えるようにした下面図である。収納部４８には、充電池４０が収納されている。充電池４０からは、接続ケーブルをなす２本のコード４２ａ、４２ｂが延び充電池側コネクタ４４に接続している。充電池側コネクタ４４は、収納部４８を成す側壁に設けられた本体側コネクタ４６と接続、解離可能に接続されている。このため、充電池４０自体の交換が可能となっている。なお、コード４２ａは、＋の極性を持つコードであり、コードの表面は赤色に着色された絶縁性の軟質樹脂素材でできている。コード４２ｂは、−の極性を持つコードであり、コードの表面は黒色に着色されてコード４２ａと同様の素材でできている。また、シール３８は、収納部４８の近傍の中でもさらに本体側コネクタ４６の近傍に貼付されている。
【００４１】
図５は、テープ印字装置３への充電池４０の組み付け方法を示した斜視図である。紙面右前が手前側、紙面左後が後側となっている。本テープ印字装置３の購入時においては、充電池４０はテープ印字装置３に装着されていない。充電池４０が装着されていないと電子機器３は動作しないので先ず充電池４０を装着する必要がある。先ず、充電池４０を紙面左側に図示された太い矢印に示すように収納部４８に収納する。その時、コード４２ａ、４２ｂがテープ印字装置３の手前側に来るようする。
【００４２】
ここで、一旦先にシール３８について説明する。図６は、シールの構成を示す図である。シール３８は電池が収納されているということを示す電池収納指示表示５０およびコネクタの接続する向きを示すコネクタ接続指示表示５２とから構成されている。電池収納指示表示５０には、乾電池をかたどった電池マーク５０ａと矢印５０ｂとを用いることで電池が矢印の示す方向にあることを示している。それにより、収納部４８に電池蓋３１が被さっている場合も電池の存在が容易に認識される。コネクタ接続指示表示５２は、充電池側コネクタ４４を本体側コネクタに接続する時の向きを使用者に知らせるため、赤地に白色で＋と表示した部分である極性表示部５２ａと、黒地に白色で−と表示した部分である極性表示部５２ｂとからなっている。これらは、電気の極性の違いを表しており、本体側コネクタにおいては、赤色の合成樹脂に被覆されて＋の極性を持つコード４２ａおよび黒色の合成樹脂に被覆されて−の極性を持つコード４２ｂがそれぞれ赤色の極性表示部５２ａおよび黒色の極性表示部５２ｂとに対応するようにコネクタが接続された時、正しく接続することを表している。また、シール３８は、図４に示すように電池収納指示表示５０が後側に、コネクタ接続指示表示５２が手前側になるように貼付されている。それにより、本体側コネクタ４６の直近にコネクタ接続指示表示５２が位置している。
【００４３】
図５に戻って説明する。充電池４０を収納部４８に収納した後、次には、コネクタ接続指示表示５２の指示に従いながら、細い矢印に示すように充電池側コネクタ４４を本体側コネクタ４６に接続する。次に電池蓋３１を紙面中央に図示された太い矢印が示すように収納部４８の開口部に当接してかつ若干手前側にずらした位置に移動させる。その位置から電池蓋３１を後側に向かって収納部４８の後側の側壁に当接させるまで移動させる。そうすることにより、電池蓋３１の後側先端と左右とに1ヶ所ずつ有する係合部５４が、それらと係合するように収納部４８の開口部に設けられた係合部（図示せず）と係合することで着脱可能に接続される。
【００４４】
図７は、他の実施形態に係る充電池シールの構成を示す図である。シール５８は、先の実施形態のシール３８とは、電池収納指示表示のみにおいて異なるほかは同様であるので、シール３８と同様の部分は同一の符号を援用し、その説明を省略する。電池収納指示表示６０を表すマークは、実際の充電池の形態により近く、充電池本体６０ａの他に接続ケーブル６０ｂと充電池側コネクタ６０ｃが付加表示されている。これにより充電池４０の形態と充電池４０が収納部４８へ収納される時の向きが分かる。
【００４５】
本発明は、以上の実施例の他、発明の構成を逸脱しない範囲で種々の変更を加えてもよい。
【００４６】
シールは、電池収納指示表示およびコネクタ接続指示表示とが１枚のシールに表示した構成とする必要はなく、電池収納指示表示およびコネクタ接続指示表示とが別々のシールで構成されていてもよい。
【００４７】
以上の実施例では、電池収納指示表示およびコネクタ接続指示表示が共に貼付可能なシールによって構成されていたが、金型成型することで電子機器内表面を構成する部材と一体に、刻印することによって表示されていてもよい。その場合、刻印する位置は前記シールの貼付位置とする。また電池収納指示表示およびコネクタ接続指示表示のどちらか一方が金型成型による刻印であり、もう一方が貼付可能なシールである構成でもよい。
【００４８】
コネクタ接続指示表示は、図４上、本体側コネクタに近接した先の実施例で示した位置にあることが望ましいが、多少外れた位置に配置されても構わない。特に、電池収納指示表示は、コネクタ接続指示表示の後側にあるばかりでなく、左側にあるなど多少外れた位置に配置されても構わない。
【００４９】
極性の表示は＋、−でなくプラス、マイナスと文字で表しても構わない。
【００５０】
充電池側の接続ケーブルに関しても、コード４２ａが赤色、コード４２ｂが黒色に着色されているばかりでなく、コード４２ａは赤色だが、コード４２ｂは着色がなく白色でもよい。また、コード４２ａ、４２ｂに着色する代わりにそれらの接続された充電池側コネクタにおいてコード４２ａに近い部分を赤色、コード４２ｂに近い部分を黒色に着色してもよい。
【００５１】
電池収納指示表示は、電池をかたどったマークに限らず、電池または充電池などの文字とによる表示を用いてもよい。文字とマークとを組合わせてもよい。
【図面の簡単な説明】
【００５２】
【図１】本発明の電子機器の実施の形態に係るテープ印字装置の平面図である。
【図２】同テープ印字装置の下面図である。
【図３】同テープ印字装置の開閉蓋を開放した時のテープ印字装置内部を示した下面図である。
【図４】同テープ印字装置の電池蓋を取り外して電池の収納部内を見えるようにした下面図である。
【図５】同テープ印字装置への充電池の組み付け方法を示した斜視図である。
【図６】同テープ印字装置に用いるシールの構成を示す図である。
【図７】他の実施形態に係るシールの構成を示す図である。
【符号の説明】
【００５３】
３  テープ印字装置
３１  電池蓋
３８、５８  シール
４０  充電池
４２ａ、４２ｂ  コード
４４  充電池側コネクタ
４６  本体側コネクタ
４８  収納部
５０、６０  電池収納指示表示
５２  コネクタ接続指示表示
５２ａ、５２ｂ  極性表示部
【図１】
2005332727.tif 000003
【図２】
2005332727.tif 000004
【図３】
2005332727.tif 000005
【図４】
2005332727.tif 000006
【図５】
2005332727.tif 000007
【図６】
2005332727.tif 000008
【図７】
2005332727.tif 000009